(57)【要約】【課題】固定式の光学読取装置に対して、手かざしで読み取らせる方法であっても安定して読み取ることができるようにする。【解決手段】本発明の光学読取帳票１は、基材２の一部に光学読取コード７を印字する読取コード印字欄３が設けられ、この読取コード印字欄３を挟んだ対称位置に、真偽判定用の判定コード８，８を隠蔽層９で隠蔽した判定コード印字欄４が設けられたものであり、利用者が帳票１を持った手で一方の判定コード８を隠してしまっても、他方の判定コード８を読み取ることによって真偽を判定できるようにした。【選択図】図１
2013004025.tif 000002
【特許請求の範囲】
【請求項１】
基材の一部に光学読取コードを印字する読取コード印字欄が設けられ、読取コード印字欄を挟んだ対称位置に、真偽判定用の判定コードを隠蔽層で隠蔽した判定コード印字欄が設けられていることを特徴とする光学読取帳票。
【請求項２】
基材が赤外発色するサーマル層を備えるとともに、隠蔽層がサーマル層の上に赤外非吸収材により構成されており、光学読取コードと判定コードがサーマル層の赤外発色により印字されることを特徴とする請求項１に記載の光学読取帳票。
【請求項３】
判定コード印字欄が読取コード印字欄の上下、左右、あるいは周囲に配置されていることを特徴とする請求項１又は２に記載の光学読取帳票。
【請求項４】
請求項１〜３のいずれか１項に記載の光学読取帳票を使用して、対称位置に設けられた判定コード印字欄の少なくともいずれか一つの判定コードを読取装置で読み取って照合することにより、正規の判定コードであれば光学読取コードを本物と判定し、正規の判定コードでないかあるいは判定コードが印字されていなければ光学読取コードを偽物と判定することを特徴とする光学読取帳票の真偽判定方法。
【発明の詳細な説明】
【技術分野】
【０００１】
本発明は、光学読取装置により読み取られる光学読取帳票と、この光学読取帳票の真偽判定方法に関する。
【背景技術】
【０００２】
従来、光学読取装置で読み取られるようにした帳票として、下記の特許文献１に開示された記録媒体カードが知られている。この記録媒体カードは、カードベース上のリサイクル表示層に暗号化したバーコードで必要事項を印字するとともに、所定波長光で読み取られ、かつ、通常では目視不能な蛍光体で隠蔽バーコードを印字したものである。そして、使用時には光学読取装置の光源からカードに向けて所定波長光を照射し、検出器で隠蔽バーコードを読み取り、その読み取った隠蔽バーコードに基づいてリサイクル表示層のバーコードを復号化して読み取るようにしている。
【先行技術文献】
【特許文献】
【０００３】
【特許文献１】特開平７−２００７６０号公報
【発明の概要】
【発明が解決しようとする課題】
【０００４】
上記のように、従来の記録媒体カードは、暗号化されたバーコードと隠蔽バーコードという２種類のバーコードを光学読取装置で読み取ることにより、本物のカードと偽物のカードを判別することができる。
【０００５】
しかし、このカードは、バーコードと隠蔽バーコードがカード上の離れた箇所に配置されたレイアウトになっている。このため、固定式の光学読取装置に対しカードを手でかざして読み取らせる方法によると、装置の読取視野が広くないので、かかるレイアウトでは隠蔽バーコードを安定して読み取ることができないという問題がある。また、隠蔽バーコードは目視できないため、利用者が気付かずにカードを持つ手で隠蔽バーコードを隠してしまう場合も考えられる。この場合、隠蔽バーコードを読み取ることができないので、本物のカードであっても偽物と判断されてしまうという不具合もある。
【０００６】
そこで、本発明はこのような問題を解決するためになされたものであり、その目的とするところは、固定式の光学読取装置に対して、手かざしで読み取らせる運用方法であっても安定して読み取ることが可能な光学読取帳票と、この光学読取帳票の真偽判定方法を提供することにある。
【課題を解決するための手段】
【０００７】
上記の目的を達成するため、本発明に係る光学読取帳票は、基材の一部に光学読取コードを印字する読取コード印字欄が設けられ、読取コード印字欄を挟んだ対称位置に、真偽判定用の判定コードを隠蔽層で隠蔽した判定コード印字欄が設けられていることを特徴とするものである。
【０００８】
ここで、上記の光学読取帳票の具体的な構成としては、基材が赤外発色するサーマル層を備えるとともに、隠蔽層がサーマル層の上に赤外非吸収材により構成されており、光学読取コードと判定コードがサーマル層の赤外発色により印字される構成を採用することができる。判定コード印字欄は、読取コード印字欄を挟んだ対称位置に少なくとも２個以上設けられていれば、その配置位置や個数は特に限定されない。例えば、判定コード印字欄が読取コード印字欄の上下、左右、あるいは周囲に配置されている構成が考えられる。
【０００９】
また、上記の目的を達成するため、本発明に係る光学読取帳票の真偽判定方法は、上記の構成からなる光学読取帳票を使用して、対称位置に設けられた判定コード印字欄の少なくともいずれか一つの判定コードを読取装置で読み取って照合することにより、正規の判定コードであれば光学読取コードを本物と判定し、正規の判定コードでないかあるいは判定コードが印字されていなければ光学読取コードを偽物と判定することを特徴とするものである。
【発明の効果】
【００１０】
本発明によれば、読取コード印字欄を挟んだ対称位置に真偽判定用の判定コードが設けられているため、利用者が帳票を持った手で一方の判定コードを隠してしまっても、他方の判定コードを読み取ることによって真偽を判定することができる。したがって、光学読取装置に対して帳票を手かざしで読み取らせる運用方法であっても、光学読取コードを安定して読み取ることができるという効果が得られる。
【図面の簡単な説明】
【００１１】
【図１】本発明に係る光学読取帳票を鉄道の乗車券に適用した例を示す平面図。
【図２】図１のＡ−Ａ拡大断面図。
【図３】本発明に係る光学読取帳票の変形例を示す平面図。
【図４】本発明に係る光学読取帳票の他の変形例を示す平面図。
【発明を実施するための形態】
【００１２】
以下、本発明を実施するための形態について、願書に添付した図面を参照しながら詳細に説明する。
【００１３】
図１に示す実施形態は、本発明に係る光学読取帳票を鉄道の乗車券に適用したものである。この光学読取帳票１は、基材２の片面に読取コード印字欄３と判定コード印字欄４を近接して設けることにより、読取装置での手かざしによる読取機能と真偽判定機能を付与したことを特徴とする。
【００１４】
本実施形態では、サーマルプリンタで印字できるように、基材２としてサーマル紙を使用している。図２に示すように、サーマル紙２は、紙材５の上にサーマル層６を積層一体化したものである。サーマル層６は、赤外発色するロイコ染料（電子供与体）と酸性物質（電子受容体）を樹脂バインダ中に固体微粒子として分散させ、これを紙材５の上に均一に塗布することにより構成されている。そして、このサーマル層６をサーマルヘッドで加熱すると、ロイコ染料と酸性物質の両成分が互いに反応して赤外発色し、特定波長域の赤外光を吸収する特性を有するようになっている。
【００１５】
基材２の中央には読取コード印字欄３が設けられており、この印字欄３には、乗車券に記録された情報を光学読取装置で読み取るための光学読取コード７が印字される。本実施形態では、光学読取コード７の一例としてモデル１のＱＲコード（登録商標、以下同じ。）を採用し、このＱＲコード７のシンボルのうちファインダパターン、タイミングパターン及びデータセルが、サーマル層６の赤外発色により印字される。ＱＲコード７のデータセルには、券種、乗車区間、発券駅、発券日、有効期限等のデータがコード変換されて記録される。
【００１６】
読取コード印字欄３を挟んだ対称位置には、判定コード印字欄４，４が上下に並んで設けられており、この印字欄４には、乗車券が本物か偽物かを判定するための真偽判定用の判定コード８が印字される。本実施形態では、判定コード８の一例としてバーコードを採用し、このバーコード８は同じくサーマル層６の赤外発色により印字される。上下に印字されたバーコード８，８には、それぞれ乗車券の真偽を判定するためのデータとして、全く同じデータ、例えば券種、乗車区間等のデータがコード変換されて記録される。
【００１７】
また、判定コード印字欄４には、印字される判定コード（バーコード）８を外部から目視できないように隠蔽するため、隠蔽層９が設けられている。隠蔽層９は、特定波長域の赤外光を吸収しない赤外非吸収インキからなり、このインキをサーマル層６の上からＱＲコード７の上下の領域に所定幅で被覆印刷することにより構成されている。なお、乗車券の券面には、従来と同様に「特急券」なる券種や有効期限等の文字情報も印字される。
【００１８】
本実施形態の光学読取帳票１は以上のように構成されており、以下にこの帳票を利用した運用方法を説明する。
【００１９】
まず、駅に設置された自動券売機において、サーマル層６の上に予め隠蔽層９だけが設けられた印字前の光学読取帳票（未発行券）を券売機内のサーマルプリンタにセットしておく。そして、利用者が乗車券を購入する際に、この未発行券に各種データを読取コードで印字した乗車券１を発券する。すなわち、プリンタのサーマルヘッドでサーマル層６を加熱して赤外発色させることにより、読取コード印字欄３にＱＲコード７が印字され、判定コード印字欄４にバーコード８が印字される。また、同じくサーマル層６を赤外発色させることにより、券面の余白部分に文字情報が同時印字される。
【００２０】
次いで、発券された乗車券１を受け取った利用者は、駅の改札口を通過する際に、乗車券１の券面に印字されたＱＲコード７を自動改札機の固定式の読取装置（コードリーダー）にかざす。このとき、利用者が乗車券１を持った手で一方の判定コード印字欄４を隠してしまっていても、他方の判定コード印字欄４を読み取ることによって乗車券１の真偽が判定される。すなわち、乗車券１の券面には、真偽判定用のバーコード８がＱＲコード７を挟んだ上下対称位置に配置されているため、コードリーダによって少なくともいずれか一方のバーコード８が読み取られて照合が行われる。そして照合の結果、読み取ったバーコード８が正規の判定コード８と一致すれば、読取コード印字欄３に印字されたＱＲコード７が本物であると判定する。これにより、自動改札機のゲートが開き、利用者の通行が許可される。
【００２１】
これに対して、読み取ったバーコード８が正規の判定コード８でないか、あるいは判定コード印字欄４にそもそもバーコード８が印字されていないため、読み取ることができない場合もある。この場合には、仮に読取コード印字欄３にＱＲコード７が印字されていても、このＱＲコード７は偽物であると判定する。これにより、自動改札機のゲートが閉じられ、利用者の通行が禁止される。したがって、本実施形態の光学読取帳票（乗車券）１によれば、判定コード印字欄４に印字された少なくともいずれか一つの判定コード８を読取装置で読み取って照合することにより、本物と偽物の真偽判定を確実に行うことができ、かつ、手かざしでも安定して読み取ることができるという効果がある。
【００２２】
また、判定コードは常に一定のデータにならないよう、一定の期間においてその内容を変化させるものであるとより効果が高い。
【００２３】
ところで、上述した実施形態では判定コード印字欄４を読取コード印字欄３の上下対称に並べて配置したが、帳票のレイアウトや印字する判定コード８の個数などはこれに限られない。例えば図３に示すように、判定コード印字欄４を読取コード印字欄３の左右に並べて配置しても良い。この場合にも、左右いずれかの判定コード８を読み取ることによって、真偽判定を行えるという効果が得られる。
【００２４】
さらに、図４に示すように、読取コード印字欄３の周囲を取り囲むように判定コード印字欄４を配置することもできる。ここで、判定コード印字欄４に印字する判定コード８は、上記のバーコード等の１次元コードに限らず、２次元コードを採用しても良い。図４の例は、中央のＱＲコード７の周囲に、全部で１２個のマイクロＱＲコード８，８，…を判定コードとして印字したものである。この場合には、利用者が光学読取帳票１をどのような向きに持って読取装置にかざしても、ＱＲコード７の周囲のマイクロＱＲコード８，８，…が全て隠れてしまうことは起こり得ないため、より確実に真偽判定を行えるという効果が得られる。
【００２５】
以上のとおり、本発明を鉄道の乗車券に適用した実施形態を挙げて説明したが、本発明は乗車券のほか、航空券、入場券、社員証等のように固定式の光学読取装置にかざして通行の許否を判定する運用方法が考えられる。また、光学読取コード７と判定コード８は、上記の例に限らず、例えばＣＯＤＥ３９、ＣＯＤＥ１２８、ＪＡＮ、ＩＴＦなどのバーコードや、ＰＤＦ４１７、ＱＲコード、データマトリックス、ＭａｘｉＣｏｄｅなどの２次元コードを採用することができる。すなわち、本発明は上述の実施形態に限定されるものではなく、本発明の技術的思想の範囲内において、当業者の通常の創作能力によって多くの変形が可能である。
【符号の説明】
【００２６】
１…光学読取帳票（乗車券）
２…基材（サーマル紙）
３…読取コード印字欄
４…判定コード印字欄
５…紙材
６…サーマル層
７…光学読取コード（ＱＲコード）
８…判定コード（バーコード、マイクロＱＲコード）
９…隠蔽層
【図１】
2013004025.tif 000003
【図２】
2013004025.tif 000004
【図３】
2013004025.tif 000005
【図４】
2013004025.tif 000006